(57)【要約】【課題】本発明は、縦書き又は横書きの書籍の読みかけの部分を細部の行までをマークしておくことを可能とするしおり付きブックカバーに関する。  【解決手段】カバー本体の背面に固定した適宜の長さのしおりの基部と、前記カバー本体の頂辺部に複数形成した切り込みとからなること。この切り込みに前記しおりの中間の適宜の箇所が挿入且つ停止可能としてなること。前記しおりの基部は、前記カバー本体の頂辺部より適宜の高さを有して前記背面に固定されてなること。【選択図】  図１
2006224365.tif 000002
【特許請求の範囲】
【請求項１】
ブックカバー本体のカバー背部に固定した適宜の長さのしおりの基部と、前記ブックカバー本体の両側のカバー面頂辺部に複数形成した切り込みとからなり、該切り込みに前記しおりの中間の適宜の箇所が挿入且つ停止可能としてなることを特徴とするしおり付きブックカバー。
【請求項２】
請求項１において、前記しおりの基部は、前記カバー面の頂辺部より適宜の高さを有して前記カバー背部に固定されてなることを特徴とするしおり付きブックカバー。
【請求項３】
請求項１又は２において、前記カバー面の頂辺部に複数形成した切り込みに対応して、その下辺部にも下部切り込みが形成されてなり、該下部切り込みに前記しおりの下端側が挿入且つ停止可能としてなることを特徴とするしおり付きブックカバー。
【請求項４】
請求項１，２又は３において、前記しおりに、上下摺動可能に構成され、且つ適宜の位置で停止可能な目印部を有してなることを特徴とするしおり付きブックカバー。
【発明の詳細な説明】
【技術分野】
【０００１】
本発明は、縦書き又は横書きの書籍の読みかけの部分を細部の行までをマークしておくことができるしおり付きブックカバーに関するものである。
【背景技術】
【０００２】
特に、ページの多い書籍は一度に読むことが難しい。そのため、読みかけの部分に細い紙や細い紐、細いリボンなどをはさみ、それをしおりとして用いている。該しおりは読書をするとき、不可欠である。
【０００３】
ブックカバーは書籍を汚れから保護し、書籍に傷を付けにくくさせるために用いられている。また、他人にどのような本を読んでいるのか分からせないようにするための目隠し用などとして用いられることもある。
【０００４】
従来のブックカバーには様々なタイプのしおりが付属されているが、該しおりは見開きのページという広い範囲でしか、現在の読みかけの部分をマークすることができないという欠点があった。
【特許文献１】実用新案登録第３０８６５５３号
【発明の開示】
【発明が解決しようとする課題】
【０００５】
前記特許文献1においても、見開きの一つのページという広い範囲でしか、書籍の読み
かけている部分をマークすることができないものであった。このような、従来のようなしおりの使用の仕方では、時間が経過して、再び読み始める際、その見開きの一つのページの中のどの部分から読み始めればよいのか、読み始めるたびに毎回探さなければならなく、効率が悪いばかりでなく、大変に面倒である。また、勉強中の書籍に対しても、どこの行まで勉強したとか、読んだとかをマークしておくことは勉強効率の点からも重要である。
【０００６】
本発明は、このような問題を解決しようとするものであり、本発明の課題（目的）は、縦書き又は横書きの書籍の読みかけの部分を細部の行までを確実にマークしておくことである。
【課題を解決するための手段】
【０００７】
本発明の請求項１は、ブックカバー本体のカバー背部に固定した適宜の長さのしおりの基部と、前記ブックカバー本体の両側のカバー面頂辺部に複数形成した切り込みとからなり、該切り込みに前記しおりの中間の適宜の箇所が挿入且つ停止可能としてなることを特徴とするしおり付きブックカバーとしたことにより、前述の課題を解決した。また、請求項２の発明は、前述の構成において、前記しおりの基部は、前記カバー面の頂辺部より適宜の高さを有して前記カバー背面に固定されてなることを特徴とするしおり付きブックカバーとしたことにより、前述の課題を解決した。
【０００８】
また、請求項３の発明は、前述の構成において、前記カバー面の頂辺部に複数形成した切り込みに対応して、その下辺部にも下部切り込みが形成されてなり、該下部切り込みに前記しおりの下端側が挿入且つ停止可能としてなることを特徴とするしおり付きブックカバーである。
【０００９】
また、請求項４の発明は、前述の構成において、前記しおりに、上下摺動可能に構成され、且つ適宜の位置で停止可能な目印部を有してなることを特徴とするしおり付きブックカバーとしたことにより、前述の課題を解決したものである。
【発明の効果】
【００１０】
請求項１の発明によれば、縦書き書籍の読みかけの部分を従来よりも細部にわたってマークすることができる。このマークにより、記憶などの勉強も効率的にできる。それにより、何処まで読んだのか、一次記憶する事が可能となり、同じ箇所を何度も読み直さなければならなかったという、手間が省くことができ、確実に大変、効率よく読書することができる。また、請求項２の発明では、しおりを切り込みに入れやすくできる。請求項３の発明では、上下の切り込みにしおりを入れておくので、縦書きの行の位置の確実性を測ることができる。
【００１１】
請求項４の発明では、目印部を摺動させることで、横書き書籍の読みかけの部分も従来よりも細部にわたってマークすることができる。さらには、地図のＸＹ位置までもマークすることができるという最大の利点がある。
【発明を実施するための最良の形態】
【００１２】
本発明の第１実施形態は、図１乃至図８に示すように、カバー本体１は、左右側のカバー面１ａ，1ａと背部１ｂと袋状部４から構成されている。該袋状部４は、前記カバー面
１ａと裏面側に付けた一部面とで、内側から紙片が挿入可能に構成されている。また、前記背部１ｂの表側の、頂辺部から約１cm乃至数cmの高さＨｂを空けて約１cmの高さＨａだけ、紐状のしおり２の基部が固定されている。該しおり２としては、扁平のリボン状に形成されたり、或いは、断面丸状に形成されることもある。図面では、挿入し易さから、扁平のリボン状のしおり２を使用した。
【００１３】
３は、切り込みであって、前記左右側のカバー面１ａ，1ａの頂辺部に、前記しおり２
を挿入可能にして、複数設けられている。具体的には、図１及び図３に示すように、前記カバー面１ａの頂辺部に、約５乃至約十数の垂直状の切り込み３が形成されている。
【００１４】
該切り込み３は、単に垂直状の切り込み部であると、挿入しにくい点があることから、Ｖ字形切り込み３aとしたり（図４参照）、小文字r字形切り込み３ｂとしたり（図５参照）又はＵ字形切り込み３ｃとすることもある。そのような形状とすることによって、切り込み３に著しく挿入し易くできるように構成され且つ下側の垂直上の切り込み部３にてしおり２の停止が良好にできるように設けられている。
【００１５】
使用状態としては、図３に示すように、前記しおり２を書籍Ｂの表紙、裏表紙を前記カバー本体１の前記袋状部１ｃ，１ｃに挿入する。前記しおり２を使用する際は、現在読んでいる前記縦書き書籍Ｂの行と対応する複数の前記切り込み３のうちの一つに、前記しおり２の中間部を挿入してから、従来のように現在読んでいる前記書籍Ｂのページに前記しおり２を挿み、前記書籍Ｂを閉じておく（図７及び図８参照）。再び、該書籍Ｂを読み始めるときは前記しおり２の挿んであるページを開き、該しおり２の中間部を前記切り込み３のうちの一つに挿入された部分と対応する行から読み始めることができる。
【００１６】
特に、前記しおり２は従来使用しているものよりも長さが長めでなければならない。尚、本発明は、前記カバー本体１の前記カバー袋状部４が前記書籍Ｂの厚さに合わせて移動することが可能なブックカバーなどにも対応する事はできる。
【００１７】
次に、本発明の第２実施形態について、図９及び図１０に基づいて説明する。特に、前記左右側のカバー面１ａ，1ａの頂辺部に形成した前記切り込み部３，３，・・・に対応して
、前記左右側のカバー面１ａ，1ａの底辺部に下部切り込み部３ｅ，３ｅ，・・・が設けられている。このように上下の切り込み部３，３，・・・と下部切り込み部３ｅ，３ｅ，・・・とで、しおり２の上下をしっかりと固定しておくことができる。
【００１８】
他の構成は、第１実施形態と同一であるため、その符号の説明は省略する。すなわち、第２実施形態は、上記第１実施形態のしおり付きブックカバーに加えて、前記カバー面１ａの下辺部に下部切り込み部３ｅ，３ｅ，・・・を形成したものである。上記第１実施形態よりも前記しおり２が一箇所ではなく上下に固定されるため、該しおり２は書籍Ｂから更に外れにくくなる。この下部切り込み部３ｅであっても、Ｖ字形、小文字ｒ字形、Ｕ字型に形成することもある。
【００１９】
使用方法は上記実施形態１と同様に、現在読んでいる前記縦書き書籍Ｂの行と対応する複数の前記カバー面１ｂ頂部の前記切り込み３の一つに、前記しおり２の中間部を挿入してから、前記カバー面１ｂ下部の前記切り込み３ｅにも前記しおり２の下端側を挿入し、前記書籍Ｂを閉じるものである。
【００２０】
次に、本発明の第３実施形態について、図１１及び図１４に基づいて説明する。特に、横書きの書籍に対応したものである。具体的には、前記しおり２に、上下摺動可能に構成され、且つ適宜の位置でしっかりと停止しているような目印部５が設けられている。該目印部５は、単なる管状片として形成されることが多い。さらに詳述すると、該目印部５は前記しおり２の上下の長さの範囲内、すなわち、適宜の中間位置の場合、図１１及び図１２に示すように、下側にＬa, 上側にＬbの長さを上下摺動しつつ、その位置で固定できるように構成されている。
【００２１】
この第３実施形態の本発明を使用することで、横書き書籍に対し、まず、中間の位置の切り込み３にしおり２の中間部を挿入し、且つ読んだ頁の横書きの行の位置に、前記目印部５を昇降させて止める。これによって、横書きの書籍の行までもマークすることができる。そして、書籍を閉じる。再び読み始めるときはその目印と対応する部分から読み始めることができる。
【００２２】
この第３実施形態の本発明を使用することにより、図１４に示すように、地図の場合には、水平方向の位置を、例えば、１から１０とし、垂直方向をＡからＦとした場合、切り込み３と目印部５とで良好に対応させることができ、所望の地図上の位置をマークしてこくことができ、地図を畳んでも、再び、直ぐに、該当頁で、且つ該当位置を提示できる利点がある。
【図面の簡単な説明】
【００２３】
【図１】本発明の第１実施形態の斜視図、
【図２】図１のＸ−Ｘ矢視断面図、
【図３】本発明の第１実施形態を使用した状態の斜視図、
【図４】切り込み部分をＶ字形にした一部正面図、
【図５】切り込み部分を小文字ｒ字形にした一部正面図、
【図６】切り込み部分をＵ字形にした一部正面図、
【図７】本発明の第１実施形態のＶ字形切込みを使用して、書籍を閉じたときの斜視図、
【図８】図７の要部斜視図、
【図９】本発明の第２実施形態の斜視図、
【図１０】本発明の第２実施形態を使用した状態の斜視図、
【図１１】本発明の第３実施形態の斜視図、
【図１２】図１１の要部状態図、
【図１３】本発明の第３実施形態を、横書き書籍に使用した状態の斜視図、
【図１４】本発明の第２実施形態を、地図書籍に使用した状態の斜視図である。
【符号の説明】
【００２４】
１      ブックカバー本体
１ａ    カバー面
１ｂ    カバー背部
２      しおり
３      切り込み
３ｅ    下部切り込み
５      目印部
【図１】
2006224365.tif 000003
【図２】
2006224365.tif 000004
【図３】
2006224365.tif 000005
【図４】
2006224365.tif 000006
【図５】
2006224365.tif 000007
【図６】
2006224365.tif 000008
【図７】
2006224365.tif 000009
【図８】
2006224365.tif 000010
【図９】
2006224365.tif 000011
【図１０】
2006224365.tif 000012
【図１１】
2006224365.tif 000013
【図１２】
2006224365.tif 000014
【図１３】
2006224365.tif 000015
【図１４】
2006224365.tif 000016
【手続補正書】
【提出日】平成17年8月22日(2005.8.22)
【手続補正１】
【補正対象書類名】特許請求の範囲
【補正対象項目名】請求項４
【補正方法】変更
【補正の内容】
【請求項４】
請求項１，２又は３において、前記しおりに、管状片に形成され、上下摺動可能且つ適宜の位置で停止可能な目印部を有してなることを特徴とするしおり付きブックカバー。
【手続補正２】
【補正対象書類名】明細書
【補正対象項目名】０００９
【補正方法】変更
【補正の内容】
【０００９】
また、請求項４の発明は、前述の構成において、前記しおりに、管状片に形成され、上下摺動可能且つ適宜の位置で停止可能な目印部を有してなることを特徴とするしおり付きブックカバーとしたことにより、前述の課題を解決したものである。